(57)【要約】無線通信ネットワーク内のチャネル構造情報を示し、それを決定するためのシステムおよび方法が、本明細書に開示される。一実施形態では、第１のノードによって実施される方法が、開示される。本方法は、無線信号を第２のノードから受信することと、無線信号によって示されるチャネル構造情報を取得することと、無線信号のために構成される第１の波形パラメータセットを決定することと、チャネル構造情報に基づいて、第１の波形パラメータセットに対する所定の持続時間内の第１のノードと第２のノードとの間の伝送リンクの伝送属性を決定することとを含む。
2020535672.tif 000002
【特許請求の範囲】
【請求項１】
第１のノードによって実施される方法であって、前記方法は、
無線信号を第２のノードから受信することと、
前記無線信号によって示されるチャネル構造情報を取得することと、
前記無線信号のために構成される第１の波形パラメータセットを決定することと、
前記チャネル構造情報に基づいて、前記第１の波形パラメータセットに対する所定の持続時間内の前記第１のノードと前記第２のノードとの間の伝送リンクの伝送属性を決定することと
を含む、方法。
【請求項２】
前記伝送属性は、
ダウンリンク（ＤＬ）フィールドであって、その下で、前記第１のノードは、ダウンリンク信号を受信することが可能である、ダウンリンク（ＤＬ）フィールドと、
アップリンク（ＵＬ）フィールドであって、その下で、前記第１のノードは、アップリンク信号を伝送することが可能である、アップリンク（ＵＬ）フィールドと、
ＯＴＨＥＲフィールドであって、その下で、前記第１のノードは、前記ＯＴＨＥＲフィールドが、それぞれ、ＤＬフィールドまたはＵＬフィールドに更新されたことを示す動的インジケーションを前記第２のノードから受信した後、ダウンリンク信号の受信またはアップリンク信号の伝送のいずれかを行うことが可能であり、前記アップリンク信号および前記ダウンリンク信号の各々は、半静的に構成される周期的または非周期的信号である、ＯＴＨＥＲフィールドと
のうちの少なくとも１つを含む、請求項１に記載の方法。
【請求項３】
前記ＯＴＨＥＲフィールドは、ガード周期（ＧＰ）を２つの異なる伝送方向間に含み、
前記ＤＬフィールドおよび前記ＵＬフィールドは、任意のＧＰを含まない、請求項２に記載の方法。
【請求項４】
前記所定の持続時間は、
任意の波形パラメータセットに関連しない絶対時間周期と、
第２の波形パラメータセットと関連付けられた相対時間周期であって、前記相対時間周期の長さは、前記第２の波形パラメータセットの値に依存する、相対時間周期と
のうちの少なくとも１つに基づいて決定される、請求項１に記載の方法。
【請求項５】
前記チャネル構造情報は、第１の時間単位に対応する構造コードブックのセット内に含まれる１つ以上のチャネル構造を示し、
前記１つ以上のチャネル構造の各々は、前記所定の持続時間内の１つ以上の第２の時間単位と、前記１つ以上の第２の時間単位の伝送属性のパターンとをカバーする、請求項１に記載の方法。
【請求項６】
前記第１の時間単位は、１つ以上の無線フレーム、１つ以上のサブフレーム、１つ以上のスロット、および１つ以上のスロットのグループのうちの少なくとも１つを含み、
前記第２の時間単位は、１つ以上の直交周波数分割多重化（ＯＦＤＭ）シンボル、１つ以上のＯＦＤＭシンボルのグループ、１つ以上のミニスロット、および１つ以上のスロットのうちの少なくとも１つを含む、請求項５に記載の方法。
【請求項７】
前記構造コードブックのセットは、任意の波形パラメータセットに関連せず、所定の数の第２の時間単位をカバーするチャネル構造を示し、前記方法はさらに、
前記チャネル構造情報によって示される前記１つ以上のチャネル構造に対応する第１の時間単位内の第１の数（Ｎ０）の第２の時間単位を決定することと、
前記第１の波形パラメータセットに対応する第１の時間単位内の第２の数（Ｎ１）の第２の時間単位を決定することと、
Ｎ０とＮ１を比較することと、
前記所定の持続時間の各第１の時間単位内の伝送属性を決定することであって、前記伝送属性を決定することは、
Ｎ０がＮ１と等しいとき、前記Ｎ０個の第２の時間単位の対応する第２の時間単位の伝送属性に基づいて、前記Ｎ１個の第２の時間単位の各々の伝送属性を決定することと、
Ｎ０がＮ１未満であり、Ｎ０＝Ｎ１／ｋであるとき、ｋ倍による前記Ｎ０個の第２の時間単位の連結に基づいて、前記Ｎ１個の第２の時間単位の伝送属性を決定することと、
Ｎ０がＮ１よりも大きく、Ｎ０＝Ｎ１＊ｋであるとき、前記Ｎ０個の第２の時間単位をｋ個の部分に等しく分割し、前記ｋ個の部分の各々を対応する第１の時間単位内のＮ１個の第２の時間単位に対応させることによって、前記Ｎ１個の第２の時間単位の伝送属性を決定することと
に基づいている、ことと
を含む、請求項５に記載の方法。
【請求項８】
前記分割または連結動作は、（ａ）Ｎ０が、Ｎ１未満であり、Ｎ１／ｋと等しくないときと、（ｂ）Ｎ０が、Ｎ１よりも大きく、Ｎ１＊ｋと等しくないときとのうちの少なくとも１つが発生するとき、前記所定の持続時間内の前記Ｎ１個の第２の時間単位のみに適用される、請求項７に記載の方法。
【請求項９】
前記構造コードブックのセットは、標準化要件、半静的構成、動的構成、および他のチャネル信号のうちの少なくとも１つに基づいて決定される第３の波形パラメータセット下、第２の時間単位の数をカバーするチャネル構造を示し、
前記所定の持続時間内の伝送属性は、
前記構造コードブックのセットによって示される前記チャネル構造内の第２の時間単位の数と、
前記所定の持続時間内の異なる波形パラメータセット下の伝送属性の整合と
のうちの少なくとも１つに基づいて決定される、請求項５に記載の方法。
【請求項１０】
前記無線信号は、第１のセットの帯域幅部分（ＢＷＰ）上で受信され、
前記伝送属性は、前記所定の持続時間内の第２のセットのＢＷＰに関して決定され、
前記第１のセットのＢＷＰは、前記第２のセットのＢＷＰ内に同様に含まれる１つ以上のＢＷＰを含み、
前記第２のセットのＢＷＰは、同一または異なる波形パラメータセットを有する複数のＢＷＰを含み、
前記第１および第２のセットのＢＷＰ内の各ＢＷＰは、標準化要件、半静的構成、動的構成、および他のチャネル信号のうちの少なくとも１つに基づいて決定される、請求項１に記載の方法。
【請求項１１】
第１のノードによって実施される方法であって、前記方法は、
第２のノードのための第１の波形パラメータセットおよび所定の持続時間を構成し、前記第１のノードと前記第２のノードとの間の伝送リンクの伝送属性を決定することと、
チャネル構造情報を示す無線信号を生成することと、
前記無線信号を前記第２のノードに伝送することと
を含む、方法。
【請求項１２】
前記伝送属性は、
ＤＬフィールドであって、その下で、前記第２のノードは、ダウンリンク信号を受信することが可能である、ＤＬフィールドと、
ＵＬフィールドであって、その下で、前記第２のノードは、アップリンク信号を伝送することが可能である、ＵＬフィールドと、
ＯＴＨＥＲフィールドであって、その下で、前記第２のノードは、前記ＯＴＨＥＲフィールドが、それぞれ、ＤＬフィールドまたはＵＬフィールドに更新されたことを示す動的インジケーションを前記第１のノードから受信した後、ダウンリンク信号の受信またはアップリンク信号の伝送のいずれかを行うことが可能であり、前記アップリンク信号および前記ダウンリンク信号の各々は、半静的に構成される周期的または非周期的信号である、ＯＴＨＥＲフィールドと
のうちの少なくとも１つを含む、請求項１に記載の方法。
【請求項１３】
前記ＯＴＨＥＲフィールドは、ＧＰを２つの異なる伝送方向間に含み、
前記ＤＬフィールドおよび前記ＵＬフィールドは、任意のＧＰを含まない、請求項１２に記載の方法。
【請求項１４】
前記所定の持続時間は、
任意の波形パラメータセットに関連しない絶対時間周期と、
第２の波形パラメータセットと関連付けられた相対時間周期であって、前記相対時間周期の長さは、前記第２の波形パラメータセットの値に依存する、相対時間周期と
のうちの少なくとも１つに基づいて決定される、請求項１１に記載の方法。
【請求項１５】
前記チャネル構造情報は、第１の時間単位に対応する構造コードブックのセット内に含まれる１つ以上のチャネル構造を示し、
前記１つ以上のチャネル構造の各々は、前記所定の持続時間内の１つ以上の第２の時間単位と、前記１つ以上の第２の時間単位の伝送属性のパターンとをカバーする、請求項１１に記載の方法。
【請求項１６】
前記第１の時間単位は、１つ以上の無線フレーム、１つ以上のサブフレーム、１つ以上のスロット、および１つ以上のスロットのグループのうちの少なくとも１つを含み、
前記第２の時間単位は、１つ以上のＯＦＤＭシンボル、１つ以上のＯＦＤＭシンボルのグループ、１つ以上のミニスロット、および１つ以上のスロットのうちの少なくとも１つを含む、請求項１５に記載の方法。
【請求項１７】
前記構造コードブックのセットは、任意の波形パラメータセットに関連せず、所定の数の第２の時間単位をカバーするチャネル構造を示し、前記第２のノードは、
前記チャネル構造情報によって示される前記１つ以上のチャネル構造に対応する第１の時間単位内の第１の数（Ｎ０）の第２の時間単位を決定することと、
前記第１の波形パラメータセットに対応する第１の時間単位内の第２の数（Ｎ１）の第２の時間単位を決定することと、
Ｎ０とＮ１を比較することと、
前記所定の持続時間の各第１の時間単位内の伝送属性を決定することであって、前記伝送属性を決定することは、
Ｎ０がＮ１と等しいとき、前記Ｎ０個の第２の時間単位の対応する第２の時間単位の伝送属性に基づいて、前記Ｎ１個の第２の時間単位の各々の伝送属性を決定することと、
Ｎ０がＮ１未満であり、Ｎ０＝Ｎ１／ｋであるとき、ｋ倍による前記Ｎ０個の第２の時間単位の連結に基づいて、前記Ｎ１個の第２の時間単位の伝送属性を決定することと、
Ｎ０がＮ１よりも大きく、Ｎ０＝Ｎ１＊ｋであるとき、前記Ｎ０個の第２の時間単位をｋ個の部分に等しく分割し、前記ｋ個の部分の各々を対応する第１の時間単位内のＮ１個の第２の時間単位に対応させることによって、前記Ｎ１個の第２の時間単位の伝送属性を決定することと
に基づいている、ことと
を実施する、請求項１５に記載の方法。
【請求項１８】
前記分割または連結動作は、（ａ）Ｎ０が、Ｎ１未満であり、Ｎ１／ｋと等しくないときと、（ｂ）Ｎ０が、Ｎ１よりも大きく、Ｎ１＊ｋと等しくないときとのうちの少なくとも１つが発生するとき、前記所定の持続時間内の前記Ｎ１個の第２の時間単位のみに適用される、請求項１７に記載の方法。
【請求項１９】
前記構造コードブックのセットは、標準化要件、半静的構成、動的構成、および他のチャネル信号のうちの少なくとも１つに基づいて決定される第３の波形パラメータセット下、第２の時間単位の数をカバーするチャネル構造を示し、
前記所定の持続時間内の伝送属性は、
前記構造コードブックのセットによって示される前記チャネル構造内の第２の時間単位の数と、
前記所定の持続時間内の異なる波形パラメータセット下の伝送属性の整合と
のうちの少なくとも１つに基づいて決定される、請求項１５に記載の方法。
【請求項２０】
前記無線信号は、第１のセットのＢＷＰ上で伝送され、
前記伝送属性は、前記所定の持続時間内の第２のセットのＢＷＰに関して決定され、
前記第１のセットのＢＷＰは、前記第２のセットのＢＷＰ内に同様に含まれる１つ以上のＢＷＰを含み、
前記第２のセットのＢＷＰは、同一または異なる波形パラメータセットを有する複数のＢＷＰを含み、
前記第１および第２のセットのＢＷＰ内の各ＢＷＰは、標準化要件、半静的構成、動的構成、および他のチャネル信号のうちの少なくとも１つに基づいて決定される、請求項１１に記載の方法。
【請求項２１】
請求項１−１０のいずれか１項に記載の方法を行うように構成される、通信ノード。
【請求項２２】
請求項１−１０のいずれか１項に記載の方法を行うためのその上に記憶されるコンピュータ実行可能命令を有する、非一過性コンピュータ可読媒体。
【請求項２３】
請求項１１−２０のいずれか１項に記載の方法を行うように構成される、通信ノード。
【請求項２４】
請求項１１−２０のいずれか１項に記載の方法を行うためのその上に記憶されるコンピュータ実行可能命令を有する、非一過性コンピュータ可読媒体。
【発明の詳細な説明】
【技術分野】
【０００１】
（技術分野）
本開示は、概して、無線通信に関し、より具体的には、無線通信ネットワーク内のチャネル構造情報を示し、それを決定するためのシステムおよび方法に関する。
【背景技術】
【０００２】
（背景）
過去数十年にわたって、モバイル通信は、音声サービスから高速ブロードバンドデータサービスまで進化している。新しいタイプの事業および用途、例えば、モバイルインターネットおよびモノのインターネット（ＩｏＴ）のさらなる発展に伴って、モバイルネットワーク上のデータに関する需要は、指数関数的に増加し続けるであろう。将来的モバイル通信における多様化された事業および用途要件に基づいて、無線通信システムは、スループット、待ち時間、信頼性、リンク密度、コスト、エネルギー消費、複雑性、およびカバレッジ等の様々な要件を満たすべきである。
【０００３】
ＬＴＥ（ロングタームエボリューション）システムは、ＦＤＤ（周波数分割デュプレックス）動作をペアリングされたスペクトル上で実施することをサポートすることができる（例えば、ダウンリンクをあるキャリア上で、アップリンクを別のキャリア上で実施する）。また、ペアリングされていないキャリア上でのＴＤＤ（時分割デュプレックス）動作もサポートする。従来のＴＤＤ動作モードでは、アップリンクおよびダウンリンクサブフレーム配分（構成０から構成６に対応する）の限定数の構成のみが、利用される。隣接するエリアは、同一構成を使用する、すなわち、同一伝送方向を伴う。ｅＩＭＴＡ（拡張された干渉緩和およびトラフィック適合）の技術は、ＬＴＥシステムのアップリンクおよびダウンリンクを半静的に（１０ｍｓ以上）構成し、隣接するエリアにＴＤＤアップリンクおよびダウンリンクサブフレーム配分の異なる構成を使用させることができる。しかし、これらの構成は、依然として、上記に説明されるいくつかの構成に限定される。
【０００４】
５Ｇ／新無線（ＮＲ）システム等の将来的無線通信システムは、事業の高速適応要件を満たし、スペクトル利用の効率性をさらに改良するために、動的ＴＤＤ動作、フレキシブルデュプレックス（またはデュプレックスフレキシビリティ）動作、および全デュプレックス動作をサポートするであろう。動的ＴＤＤを例として挙げると、動的ＴＤＤ動作は、ペアリングされていないスペクトル上（またはペアリングされたスペクトル内のアップリンクまたはダウンリンクキャリア上）で伝送方向をアップリンクまたはダウンリンクとして動的または半動的に変更することを指す。ｅＩＭＴＡと比較して、動的ＴＤＤ動作は、サブフレームレベル、時間スロットレベル、またはさらにより動的レベルの方向変更をサポートすることができる。ｅＩＭＴＡシステムは、物理ダウンリンク制御チャネル（ＰＤＣＣＨ）を利用して、ＴＤＤサブフレーム構成を示すが、５Ｇ／ＮＲシステムは、グループ共通ＰＤＣＣＨを使用して、あるグループの端末および／またはユーザに、ある制御情報、例えば、スロットフォーマット関連情報（ＳＦＩ）について通知するであろう。例えば、５Ｇ／ＮＲシステムにおける基地局（ＢＳ）は、グループ共通ＰＤＣＣＨを介して、ＳＦＩを示し、あるグループの端末に、１つ以上の時間スロット内のＢＳと各端末との間の伝送リンクのチャネル構造情報について通知することができる。チャネル構造は、伝送リンクの伝送属性のパターン、例えば、ダウンリンク（ＤＬ）、アップリンク（ＵＬ）、および／またはＯＴＨＥＲを含んでもよい。
【０００５】
既存の文献または既存の技術には、以下の問題、すなわち、（ａ）端末が異なる波形パラメータセット下でＳＦＩインジケーションを理解し得る方法、（ｂ）特に、ＳＦＩによって示される伝送方向が、ユーザ機器（ＵＥ）具体的ダウンリンク制御情報（ＤＣＩ）によって示される伝送方向および／または半静的構成下における伝送方向と競合するとき、端末がチャネル構造内のＯＴＨＥＲフィールドをハンドリングし得る方法のいずれかに関する満足の行くソリューションが存在しない。
【発明の概要】
【課題を解決するための手段】
【０００６】
（要約）
本明細書に開示される例示的実施形態は、先行技術に提示される問題のうちの１つ以上のものに関連する問題を解決し、かつ添付の図面と関連して検討されるときに以下の詳細な説明を参照することによって容易に明白となるであろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本開示の範囲内に留まったまま行われることができることが、本開示を熟読する当業者に明白となるであろう。
【０００７】
一実施形態では、第１のノードによって実施される方法が、開示される。本方法は、無線信号を第２のノードから受信することと、無線信号によって示されるチャネル構造情報を取得することと、無線信号のために構成される第１の波形パラメータセットを決定することと、チャネル構造情報に基づいて、第１の波形パラメータセットに対する所定の持続時間内の第１のノードと第２のノードとの間の伝送リンクの伝送属性を決定することとを含む。
【０００８】
さらなる実施形態では、第１のノードによって実施される方法が、開示される。本方法は、第２のノードのための第１の波形パラメータセットおよび所定の持続時間を構成し、第１のノードと第２のノードとの間の伝送リンクの伝送属性を決定することと、チャネル構造情報を示す無線信号を生成することと、無線信号を第２のノードに伝送することであって、第２のノードは、チャネル構造情報に基づいて、第１の波形パラメータセットに対する所定の持続時間内の伝送リンクの伝送属性を決定する、こととを含む。
【０００９】
別の実施形態では、いくつかの実施形態において開示される方法を行うように構成される、通信ノードが、開示される。
【００１０】
さらに別の実施形態では、いくつかの実施形態において開示される方法を行うためのその上に記憶されるコンピュータ実行可能命令を有する、非一過性コンピュータ可読媒体が、開示される。
【００１１】
本開示の種々の例示的実施形態は、以下の図を参照して下記に詳細に説明される。図面は、例証目的のためだけに提供され、単に、本開示の読者の理解を促進するための本開示の例示的実施形態を描写する。したがって、図面は、本開示の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【００１２】
【図１】図１は、本開示のいくつかの実施形態による、基地局（ＢＳ）のブロック図を図示する。
【００１３】
【図２】図２は、本開示のいくつかの実施形態による、チャネル構造情報を示すためにＢＳによって実施される方法のためのフローチャートを図示する。
【００１４】
【図３】図３は、本開示のいくつかの実施形態による、ユーザ機器（ＵＥ）のブロック図を図示する。
【００１５】
【図４】図４は、本開示のいくつかの実施形態による、チャネル構造情報を決定および更新するためにＵＥによって実施される方法のためのフローチャートを図示する。
【００１６】
【図５】図５−７は、本開示のいくつかの実施形態による、ＳＦＩパターンが所定の数のＯＦＤＭシンボルをカバーするときの異なる波形パラメータセット下のチャネル構造決定の実施例を図示する。
【図６】図５−７は、本開示のいくつかの実施形態による、ＳＦＩパターンが所定の数のＯＦＤＭシンボルをカバーするときの異なる波形パラメータセット下のチャネル構造決定の実施例を図示する。
【図７】図５−７は、本開示のいくつかの実施形態による、ＳＦＩパターンが所定の数のＯＦＤＭシンボルをカバーするときの異なる波形パラメータセット下のチャネル構造決定の実施例を図示する。
【００１７】
【図８】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【図９】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【図１０】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【図１１】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【図１２】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【図１３】図８−１３は、本開示のいくつかの実施形態による、ＳＦＩパターンが所定の長さの時間をカバーするときの異なる波形パラメータセット下の伝送属性の整合を伴うチャネル構造決定の実施例を図示する。
【００１８】
【図１４】図１４−１６は、本開示のいくつかの実施形態による、ＳＦＩパターンが所定の数のスロットまたはＯＦＤＭシンボルをカバーするときの異なる波形パラメータセット下の伝送属性の整合を伴わないチャネル構造決定の実施例を図示する。
【図１５】図１４−１６は、本開示のいくつかの実施形態による、ＳＦＩパターンが所定の数のスロットまたはＯＦＤＭシンボルをカバーするときの異なる波形パラメータセット下の伝送属性の整合を伴わないチャネル構造決定の実施例を図示する。
【図１６】図１４−１６は、本開示のいくつかの実施形態による、ＳＦＩパターンが所定の数のスロットまたはＯＦＤＭシンボルをカバーするときの異なる波形パラメータセット下の伝送属性の整合を伴わないチャネル構造決定の実施例を図示する。
【００１９】
【図１７】図１７は、本開示のいくつかの実施形態による、ＵＥが、ＯＴＨＥＲフィールドの伝送属性を更新し、半静的に構成される周期的または非周期的ダウンリンクおよび／またはアップリンク信号をＯＴＨＥＲフィールド内で受信および／または伝送するためのプロセスを図示する。
【発明を実施するための形態】
【００２０】
（例示的実施形態の詳細な説明）
本開示の種々の例示的実施形態は、当業者が本開示を作製および使用することを可能にするために、付随の図を参照して下記に説明される。当業者に明白となるであろうように、本開示を熟読後、本明細書に説明される実施例の種々の変更または修正が、本開示の範囲から逸脱することなく、行われることができる。したがって、本開示は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本開示の範囲内に留まったまま、並べ替えられることができる。したがって、当業者は、本明細書に開示される方法および技法が、種々のステップまたは行為をサンプル順序において提示し、本開示が、明示的にそうではないことが述べられない限り、提示される具体的順序または階層に限定されないことを理解するであろう。
【００２１】
５Ｇ／ＮＲにおけるＢＳは、グループ共通ＰＤＣＣＨを使用して、ユーザ機器（ＵＥ）端末のグループに、ある制御情報、例えば、スロットフォーマット関連情報（ＳＦＩ）について通知し、有効持続時間内のＢＳと各ＵＥとの間の伝送リンクのチャネル構造情報を示すであろう。チャネル構造は、伝送リンクの伝送属性のパターン、例えば、ＤＬ、ＵＬ、および／またはＯＴＥＨＲを含んでもよい。既存の文献または既存の技術には、以下の問題、すなわち、第１に、ＵＥが異なる波形パラメータセット下でＳＦＩインジケーションを理解し得る方法、第２に、特に、ＳＦＩによって示される伝送方向が、ＵＥ特有のＤＣＩによって示される伝送方向および／または半静的構成下の伝送方向と競合するとき、ＵＥがチャネル構造内のＯＴＨＥＲフィールドをハンドリングし得る方法のいずれかに関する満足の行くソリューションが存在しない。
【００２２】
第１の問題に関して、５Ｇ／ＮＲでは、どの帯域幅部分（ＢＷＰ）構成をサポートするかに対して未だ最終決定されていないため、本教示は、単一ＢＷＰをアクティブ化する場合と、複数のＢＷＰをアクティブ化する場合の両方を説明するであろう。波形パラメータセット、例えば、数秘術は、ＢＷＰに密接に関連する。例えば、ＤＬ  ＢＷＰのためのシステムによって構成される数秘術は、ＤＬ  ＢＷＰ内のＰＤＣＣＨ（物理ダウンリンク制御チャネル）、ＰＤＳＣＨ（物理ダウンリンク共有チャネル）、および対応するＤＭＲＳ（復調基準信号）に適用されることができ、ＵＬ  ＢＷＰのためのシステムによって構成される数秘術は、ＵＬ  ＢＷＰ内のＰＵＣＣＨ（物理アップリンク制御チャネル）、ＰＵＳＣＨ（物理アップリンク共有チャネル）、および対応するＤＭＲＳに適用されることができる。ＮＲの現在のプロセスによると、数秘術は、ＳＣＳ（サブキャリア空間）、ＯＦＤＭシンボル長、スロット内に含有されるＯＦＤＭシンボルの数、ＣＰ（巡回プレフィックス）長等に対応してもよい。
【００２３】
第１の問題を解決するために、本教示は、異なる波形パラメータセット下、例えば、アクティブ化されることになる異なるＢＷＰに対応する異なる数秘術下、ＵＥがＢＳから受信されたＳＦＩインジケーションに基づいて、チャネル構造、例えば、ＵＥとＢＳとの間の伝送リンクの伝送属性を決定するための方法およびシステムを提供する。本開示の種々の実施形態によると、ＳＦＩパターンは、所定の数のスロットまたはＯＦＤＭシンボルまたは所定の長さの時間をカバーしてもよく、ＵＥは、異なる数秘術下の伝送属性の整合の有無にかかわらず、チャネル構造を決定してもよい。
【００２４】
第２の問題に関して、５Ｇ／ＮＲシステムは、現在、「未知」を意味するためのＯＴＨＥＲフィールドを使用する。すなわち、端末は、任意の仮定を行わずに、かつＯＴＨＥＲフィールドが「空」であることを解明せずに、ＯＴＨＥＲフィールドを「伝送方向未決定」であると理解するであろう。第２の問題を解決するために、本教示は、本開示のいくつかの実施形態による、ＳＦＩによって示される伝送方向が、ＵＥ特有のＤＣＩによって示される伝送方向および／または半静的構成下の伝送方向によって更新されるとき、ＵＥが、ＯＴＨＥＲフィールド内の伝送属性を更新し、ＯＴＨＥＲフィールド内でダウンリンクおよび／またはアップリンク信号を受信および／または伝送するための方法およびシステムを提供する。
【００２５】
本教示に開示される本方法は、１つ以上のセルを含む、セルラー通信ネットワーク内に実装されることができる。各セルは、その配分された帯域幅で動作し、適正な無線カバレッジをその意図されるユーザ、例えば、ＵＥデバイスに提供する、少なくとも１つの基地局（ＢＳ）を含み得る。種々の実施形態では、本開示におけるＢＳは、次世代ノードＢ（ｇＮＢ）、伝送／受信ポイント（ＴＲＰ）、アクセスポイント（ＡＰ）等を含む、またはそのようなものとして実装されることができる。本教示では、用語「端末」および「ＵＥ」は、同義的に使用されるであろう。
【００２６】
ＢＳおよびＵＥデバイスは、通信リンクを介して、例えば、ダウンリンク無線フレームを介して、ＢＳからＵＥに、またはアップリンク無線フレームを介して、ＵＥからＢＳに、相互に通信することができる。各無線フレームは、データシンボルを含み得る、サブフレームにさらに分割されてもよい。ＢＳおよびＵＥは、本明細書では、本開示の種々の実施形態による、本明細書に開示される方法を実践することができ、無線および／または有線通信が可能であり得る、「通信ノード」または全般的「ノード」の非限定的実施例として説明され得る。
【００２７】
図１は、本開示のいくつかの実施形態による、基地局（ＢＳ）１００のブロック図を図示する。ＢＳ１００は、本明細書に説明される種々の方法を実装するように構成され得る、デバイスの実施例である。図１に示されるように、ＢＳ１００は、システムクロック１０２と、プロセッサ１０４と、メモリ１０６と、送信器１１２および受信器１１４を備える、送受信器１１０と、電力モジュール１０８と、ＢＷＰ構成生成器１２０と、チャネルインジケーション生成器１２２と、コードブック構成生成器１２４と、パラレル伝送属性インジケータ１２６とを含有する、筐体１４０を含む。
【００２８】
本実施形態では、システムクロック１０２は、ＢＳ１００の全ての動作のタイミングを制御するために、タイミング信号をプロセッサ１０４に提供する。プロセッサ１０４は、ＢＳ１００の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡＳ）、プログラマブル論理デバイス（ＰＬＤ）、コントローラ、状態機械、ゲート論理、離散ハードウェアコンポーネント、専用ハードウェア有限状態機械、またはデータの計算または他の操作を実施し得る、任意の他の好適な回路、デバイス、および／または構造の任意の組み合わせ等の１つ以上の処理回路またはモジュールを含むことができる。
【００２９】
読取専用メモリ（ＲＯＭ）およびランダムアクセスメモリ（ＲＡＭ）の両方を含み得る、メモリ１０６は、命令およびデータをプロセッサ１０４に提供することができる。メモリ１０６の一部はまた、不揮発性ランダムアクセスメモリ（ＮＶＲＡＭ）を含むことができる。プロセッサ１０４は、典型的には、メモリ１０６内に記憶されるプログラム命令に基づいて、論理および算術演算を実施する。メモリ１０６内に記憶される命令（ソフトウェアとして知られる）は、プロセッサ１０４によって、本明細書に説明される方法を実施するために実行されることができる。プロセッサ１０４およびメモリ１０６は、ソフトウェアを記憶および実行する、処理システムをともに形成する。本明細書で使用されるように、「ソフトウェア」は、ソフトウェア、ファームウェア、ミドルウェア、マイクロコード等と称されるかどうかにかかわらず、任意のタイプの命令を意味し、これは、１つ以上の所望の機能または処理を実施するための機械またはデバイスを構成することができる。命令は、コードを含むことができる（例えば、ソースコードフォーマット、バイナリコードフォーマット、実行可能コードフォーマット、またはコードの任意の他の好適なフォーマットにおいて）。命令は、１つ以上のプロセッサによって実行されると、処理システムに、本明細書に説明される種々の機能を実施させる。
【００３０】
送信器１１２および受信器１１４を含む、送受信器１１０は、ＢＳ１００が、データを遠隔デバイス（例えば、ＵＥまたは別のＢＳ）に伝送し、そこから受信することを可能にする。アンテナ１５０が、典型的には、筐体１４０に取り付けられ、送受信器１１０に電気的に結合されてもよい。種々の実施形態では、ＢＳ１００は、複数の送信器、複数の受信器、複数の送受信器、および／または複数のアンテナを含む（図示せず）。送信器１１２は、異なるパケットタイプまたは機能を有するパケットを無線で伝送するように構成されることができ、そのようなパケットは、プロセッサ１０４によって生成される。同様に、受信器１１４は、異なるパケットタイプまたは機能を有するパケットを受信するように構成され、プロセッサ１０４は、複数の異なるパケットタイプのパケットを処理するように構成される。例えば、プロセッサ１０４は、パケットのタイプを決定し、適宜、パケットおよび／またはパケットのフィールドを処理するように構成されることができる。
【００３１】
チャネル構造インジケーション生成器１２２は、ＢＳ１００とＵＥとの間の伝送リンクについてのチャネル構造情報を示す、無線信号を生成してもよい。例えば、無線信号は、あるグループのＵＥデバイスにブロードキャストされるべきＳＦＩを搬送する、グループ共通ＰＤＣＣＨ信号であってもよい。チャネル構造インジケーション生成器１２２は、送信器１１２を介して、無線信号をＵＥデバイスのグループに送信し、ＵＥ毎に、波形パラメータセット、例えば、ＢＷＰに対応する数秘術に基づいて、所定の持続時間内のＢＷＰ上のＢＳ１００とＵＥとの間の伝送リンクのチャネル構造を決定してもよい。
【００３２】
本教示の種々の実施形態によると、所定の持続時間は、ＳＦＩインジケーションの有効時間範囲を表し、チャネル構造インジケーション生成器１２２によって生成された標準化要件、半静的構成、または動的インジケーションによって決定される。異なる実施形態によると、ＳＦＩインジケーションの有効時間範囲は、任意の波形パラメータセットに関連しない絶対時間周期または所定の波形パラメータセットと関連付けられた相対時間周期のいずれかであってもよい。後者の場合、相対時間周期の長さは、波形パラメータセット、例えば、数秘術の値に依存し、本数秘術は、（ａ）その下でＳＦＩパターンがＵＥに示される、ソース数秘術、（ｂ）その下でＵＥが伝送リンクの伝送属性を決定するであろう、標的数秘術、および（ｃ）その下で無線信号がＢＷＰ上でＵＥに伝送される、伝送数秘術のうちの少なくとも１つと等しくてもよい。
【００３３】
ＢＷＰ構成生成器１２０は、ＵＥのために、１つ以上のＢＷＰを構成およびアクティブ化してもよい。例えば、ＵＥが、Ｎ（Ｎは、１よりも大きい整数である）個のＢＷＰ上のチャネル構造を決定するために、Ｎ個のＢＷＰのうちの１つ以上のもの上でＳＦＩを検出および受信するようにＵＥを構成することが可能性として考えられる。Ｎ個のＢＷＰは、同一または異なる数秘術を有してもよい。ＢＷＰ構成生成器１２０は、ＢＷＰ毎に、独立して、数秘術を構成し、ＳＦＩインジケーションを生成するために、ＢＷＰの構成をチャネル構造インジケーション生成器１２２に知らせることができる。
【００３４】
コードブック構成生成器１２４は、構造コードブックのセットを生成および構成してもよい。構造コードブックのセットは、本教示の異なる実施形態によると、チャネル構造パターン、例えば、ＳＦＩパターンのセットを含み、所定の数のスロットまたはＯＦＤＭシンボルまたは所定の長さの時間をカバーする。ＵＥは、コードブック構成生成器１２４によって、標準化または半静的構成に基づいて、構造コードブックのセットを知らされ得る。構造コードブックのセットの知識を有することで、ＵＥは、チャネル構造インジケーション生成器１２２によって生成および伝送されるＳＦＩインジケーションに従って、構造コードブックをルックアップすることによって、具体的ＳＦＩパターンを取得し、ＢＷＰに対応する数秘術を考慮しながら、具体的ＳＦＩパターンに基づいて、ＢＷＰ上のＢＳ１００とＵＥとの間の伝送リンクのチャネル構造を決定することができる。
【００３５】
パラレル伝送属性インジケータ１２６は、ＳＦＩインジケーションとパラレル様式において、伝送リンクの伝送属性のインジケーションを生成してもよい。例えば、パラレル伝送属性インジケータ１２６は、ＵＥ特有のＤＣＩおよび／または半静的構成信号に基づいて、伝送属性を示してもよい。グループ共通ＰＤＣＣＨ内のＳＦＩは、あるグループのＵＥデバイスにブロードキャストされるが、ＵＥ特有のＤＣＩは、送信器１１２を介して、具体的ＵＥに送信される。競合が、ＳＦＩによって示される伝送方向とパラレル伝送属性インジケータ１２６によって生成されたパラレルインジケータとの間に存在するとき、ＵＥは、最新伝送属性インジケーションに基づいて、伝送属性を更新してもよい。
【００３６】
一実施形態では、プロセッサ１０４は、チャネル構造を決定するために使用されるべきスキームを決定してもよい。例えば、プロセッサ１０４は、ＳＦＩパターンが所定の数のスロットまたはＯＦＤＭシンボルまたは所定の長さの時間をカバーするかどうかを決定することができ、また、ＵＥが異なる数秘術下で伝送属性の整合の有無にかかわらずチャネル構造を決定すべきかどうかを決定することができる。プロセッサ１０４は、標準化または動的構成に従って、スキームを決定することができる。
【００３７】
電力モジュール１０８は、１つ以上のバッテリ等の電源と、調整された電力を図１における上記に説明されるモジュールのそれぞれに提供するための電力調整器とを含むことができる。いくつかの実施形態では、ＢＳ１００が、専用外部電源（例えば、壁電気コンセント）に結合される場合、電力モジュール１０８は、変圧器と、電力調整器とを含むことができる。
【００３８】
上記に議論される種々のモジュールは、バスシステム１３０によって、ともに結合される。バスシステム１３０は、データバスと、バスデータバスに加え、例えば、電力バス、制御信号バス、および／またはステータス信号を含むことができる。ＢＳ１００のモジュールは、任意の好適な技法および媒体を使用して、相互に動作可能に結合されることができることを理解されたい。
【００３９】
いくつかの別個のモジュールまたはコンポーネントが、図１に図示されるが、当業者は、モジュールのうちの１つ以上のものが、組み合わせられる、または共通に実装されることができることを理解するであろう。例えば、プロセッサ１０４は、プロセッサ１０４に関して上記に説明される機能性を実装するだけではなく、また、ＢＷＰ構成生成器１２０に関して上記に説明される機能性も実装することができる。逆に言えば、図１に図示されるモジュールはそれぞれ、複数の別個のコンポーネントまたは要素を使用して、実装されることができる。
【００４０】
図２は、本開示のいくつかの実施形態による、チャネル構造情報を示すために、ＢＳ、例えば、図１におけるＢＳ１００によって実施される方法２００のためのフローチャートを図示する。２０２では、ＢＳは、ＵＥがＢＷＰのセット上のＢＳとＵＥとの間の伝送リンクのチャネル構造を決定するための有効持続時間を構成する。２０４では、ＢＳは、ＢＷＰのセット内のＢＷＰ毎に、波形パラメータセットを構成する。２０６では、ＢＳは、標準化または半静的構成に基づいてＵＥに知らされている構造コードブックのセットに基づいて、チャネル構造情報を示す無線信号を生成する。ＢＳは、次いで、２０８において、無線信号をＵＥに伝送する。
【００４１】
図３は、本開示のいくつかの実施形態による、ユーザ機器（ＵＥ）３００のブロック図を図示する。ＵＥ３００は、本明細書に説明される種々の方法を実装するように構成され得る、デバイスの実施例である。図３に示されるように、ＵＥ３００は、システムクロック３０２と、プロセッサ３０４と、メモリ３０６と、送信器３１２および受信器３１４を備える、送受信器３１０と、電力モジュール３０８と、ＳＦＩパターン決定器３２０と、数秘術比較ユニット３２２と、数秘術決定器３２４と、伝送属性決定器３２６と、伝送属性更新器３２８とを含有する、筐体３４０を含む。
【００４２】
本実施形態では、システムクロック３０２、プロセッサ３０４、メモリ３０６、送受信器３１０、および電力モジュール３０８は、ＢＳ１００内のシステムクロック１０２、プロセッサ１０４、メモリ１０６、送受信器１１０、および電力モジュール１０８と同様に作用する。アンテナ３５０が、典型的には、筐体３４０に取り付けられ、送受信器３１０に電気的に結合される。
【００４３】
ＳＦＩパターン決定器３２０は、受信器３１４を介して、無線信号をＢＳ、例えば、ＢＳ１００から受信し、無線信号によって示されるチャネル構造情報を取得してもよい。上記に議論されるように、無線信号は、ＢＳと関連付けられたあるグループのＵＥデバイスにブロードキャストされているＳＦＩを搬送する、グループ共通ＰＤＣＣＨ信号であってもよい。無線信号から取得されるＳＦＩインジケーションに基づいて、ＳＦＩパターン決定器３２０は、標準化または半静的構成に基づいて決定された構造コードブックをルックアップすることによって、具体的ＳＦＩパターンを取得することができる。ＳＦＩパターン決定器３２０は、示されるＳＦＩパターンを、数秘術比較のための数秘術比較ユニット３２２と、伝送属性決定のための伝送属性決定器３２６とに送信してもよい。
【００４４】
無線信号は、第１のセットのＢＷＰ上でＵＥ３００によって受信および検出されるが、ＵＥ３００は、第１のセットのＢＷＰを含む、第２のセットのＢＷＰ上でチャネル構造を決定してもよい。第２のセットのＢＷＰは、同一または異なる数秘術を有してもよい。第１および第２のセットのＢＷＰ内の各ＢＷＰは、標準化要件、半静的構成、動的構成、および他のチャネル信号のうちの少なくとも１つに基づいて決定されてもよい。数秘術決定器３２４は、無線信号、標的ＢＷＰの伝送数秘術、標準化要件、半静的構成、動的構成、および他のチャネル信号のうちの少なくとも１つに基づいて、第２のセットのＢＷＰの標的ＢＷＰと称されるＢＷＰ毎に、標的数秘術と称される数秘術を決定してもよい。数秘術決定器３２４は、各標的数秘術を、数秘術比較のための数秘術比較ユニット３２２と、伝送属性決定のための伝送属性決定器３２６とに送信することができる。
【００４５】
数秘術比較ユニット３２２は、ＳＦＩパターン決定器３２０からの示されるＳＦＩパターンおよび数秘術決定器３２４からの標的数秘術の両方を受信してもよい。いくつかの実施形態では、示されるＳＦＩパターンは、任意の数秘術に関連しないが、しかし、所定の数のＯＦＤＭシンボル、すなわち、示されるＳＦＩパターン下のスロット長のみに関連する。この場合、数秘術比較ユニット３２２は、示されるＳＦＩパターン下のスロット長と各標的数秘術下のスロット長を比較することができる。他の実施形態では、示されるＳＦＩパターンは、ソース数秘術と称される、具体的数秘術に関連する。ソース数秘術は、標準化要件、半静的構成、動的構成、および他のチャネル信号のうちの少なくとも１つに基づいて決定されてもよい。この場合、数秘術比較ユニット３２２は、ソース数秘術と各標的数秘術を比較することができる。いずれの場合も、比較結果に基づいて、数秘術比較ユニット３２２は、伝送属性決定器３２６が各標的ＢＷＰ上のＢＳ１００とＵＥ３００との間の伝送リンクの伝送属性を決定するためのチャネル構造パラレル移動スキームを決定してもよい。異なる実施形態によると、パラレル移動スキームは、ＳＦＩインジケーションの有効時間範囲を表す所定の持続時間内の標的数秘術下のＯＦＤＭシンボルのみに適用される、連結および／または分割動作を含んでもよい。
【００４６】
伝送属性決定器３２６は、ＳＦＩパターン決定器３２０によって決定された示されるＳＦＩパターンに基づいて、かつ数秘術比較ユニット３２２によって決定されたパラレル移動スキームに従って、数秘術決定器３２４によって決定された標的数秘術に対する所定の持続時間内の各標的ＢＷＰ上のＢＳ１００とＵＥ３００との間の伝送リンクの伝送属性を決定してもよい。
【００４７】
伝送属性更新器３２８は、受信器３１４を介して、例えば、ＵＥ特有のＤＣＩおよび／または半静的構成信号に基づいて、ある更新された伝送属性インジケーションをＢＳ１００から受信してもよい。競合が、ＳＦＩによって示される伝送方向と伝送属性更新器３２８によって受信されたパラレルインジケータとの間に存在するとき、伝送属性更新器３２８は、最新伝送属性インジケーションに基づいて、伝送属性を更新してもよい。
【００４８】
図４は、本開示のいくつかの実施形態による、チャネル構造情報を決定および更新するために、ＵＥ、例えば、図３におけるＵＥ３００によって実施される方法４００のためのフローチャートを図示する。４０２では、ＵＥは、無線信号をＢＳから受信する。４０４では、ＵＥは、無線信号から、ＢＳとＵＥとの間の伝送リンクのチャネル構造を示すチャネル構造情報を取得する。４０６では、ＵＥは、ＢＳによって構成される波形パラメータセットおよび有効持続時間を決定する。４０８では、ＵＥは、波形パラメータセットに対する有効持続時間内の伝送リンクの伝送属性を決定する。随意に、４１０では、ＵＥは、ＢＳからのパラレル伝送属性インジケーションの受信に応じて、伝送リンクの１つ以上の伝送属性を更新する。
【００４９】
本開示の異なる実施形態が、ここで、以降において詳細に説明されるであろう。本開示における実施形態および実施例の特徴は、競合せずに、任意の様式において、相互に組み合わせられ得ることに留意されたい。
【００５０】
実施形態１では、示されるＳＦＩパターンは、ＵＥが異なる標的数秘術下でチャネル構造を決定するための所定の数のＯＦＤＭシンボルに対応する。ＢＳの標準化または半静的構成に基づいて、ＵＥは、ＳＦＩパターン１、ＳＦＩパターン２、．．．ＳＦＩパターンＮを含む、ＳＦＩパターンのコードブックのセットを理解することができ、異なるＳＦＩパターンは、異なるチャネル構造、例えば、スロット構造を表す。例えば、ＳＦＩパターン１は｛７’Ｄ’２’Ｏ’５’Ｕ’｝を表し、ＳＦＩパターン２は、｛１２’Ｄ’１’Ｏ’１’Ｕ’｝を表し、ＳＦＩパターン３は、｛２’Ｄ’１’Ｏ’１０’Ｕ’１’Ｏ’｝を表し、ＳＦＩパターン４は、｛３’Ｄ’２’Ｏ’２’Ｕ’｝を表す等となり、「Ｄ」は、「ダウンリンク」の伝送属性を有する、ＯＦＤＭシンボルまたはシンボルグループを示し、「Ｕ」は、「アップリンク」の伝送属性を有する、ＯＦＤＭシンボルまたはシンボルグループを示し、「Ｏ」は、「ＯＴＨＥＲ」の伝送属性を有する、ＯＦＤＭシンボルまたはシンボルグループを示す。コードブックセット内のＳＦＩパターンは全て、同一数のＯＦＤＭシンボルのスロット構造を示してもよい、または異なる数のＯＦＤＭシンボルのスロット構造を示してもよい。数が同一であるかどうかにかかわらず、あるＳＦＩパターンに関して、これは、Ｎ０個のＯＦＤＭシンボルのスロット長を伴うスロット構造を示し、Ｎ０は、Ｎ０＝７またはＮ０＝１４等の正の整数である。
【００５１】
ＵＥは、ＳＦＩインジケーションをＢＷＰのＣＯＲＥＳＥＴ（制御リソースセット）から受信し、これは、コードブックセット内のあるＳＦＩパターンを示し、ＢＷＰの数秘術は、数秘術１として構成される。数秘術１下のスロットは、Ｎ１個のＯＦＤＭシンボルを含有する。伝送数秘術（伝送されるＢＷＰの数秘術）は、本実施形態では、標的数秘術と等しいが、伝送数秘術は、いくつかの他の実施形態では、標的数秘術と異なり得ることを理解されたい。
【００５２】
Ｎ０およびＮ１を比較することによって、ＵＥは、チャネル構造決定のための異なるパラレル移動スキームを決定することができる。
【００５３】
Ｎ１がＮ０と等しい場合、ＵＥは、示されるＳＦＩパターンに従って、ＯＦＤＭシンボル毎に、１対１のマッピングを行うことができる。図５に示されるように、ＵＥは、各スロット内、ＳＦＩ５１０によって示される有効スロット内、およびＢＷＰの周波数ドメイン内のＮ１個のＯＦＤＭシンボルの伝送属性を決定することができる。図５は、数秘術１下のＯＦＤＭシンボル長（またはサブキャリア間隔）の異なる実施例５２０、５３０、５４０を示し、Ｎ０＝Ｎ１＝１４である。数秘術１下のＯＦＤＭシンボル長（またはサブキャリア間隔）のサイズにかかわらず、ＵＥは、単に、ＳＦＩパターン５１０に示されるＯＦＤＭシンボルのそれぞれの伝送属性を数秘術１下の対応するＯＦＤＭシンボルにマッピングすることができる。
【００５４】
Ｎ１がＮ０未満である場合、ＳＦＩパターンによって示されるスロットは、数秘術１下で複数のスロットに分割されてもよい。通常、Ｎ０は、Ｎ１の整数倍、すなわち、Ｎ０＝Ｎ１＊ｋであって、ｋは、正の整数である。図６に示されるように、Ｎ０＝１４およびＮ１＝７であるとき、１つのＮ０が、２つのＮ１に分割され、次いで、数秘術１下の２つの連結されたスロットのスロット構造は、ＳＦＩパターン６１０によって示されるスロット構造に対応する。図６は、数秘術１下のＯＦＤＭシンボル長（またはサブキャリア間隔）の異なる実施例６２０、６３０、６４０を示す。数秘術１下のＯＦＤＭシンボル長（またはサブキャリア間隔）のサイズにかかわらず、端末は、単に、ＳＦＩパターン下の１つのスロット内のＮ０個のＯＦＤＭシンボルのそれぞれの伝送属性を、それぞれ、数秘術１下のＮ１個のＯＦＤＭシンボルを含む、ｋ個のスロット内の対応するＯＦＤＭシンボルにマッピングすることができ、数秘術１下のｋ個のスロット内のＯＦＤＭシンボルは、ＳＦＩパターンのインジケーションに従って、１対１で伝送属性を割り当てられる。
【００５５】
Ｎ１がＮ０よりも大きい場合、ＵＥは、ＳＦＩパターンによって示されるスロット構造を連結し、数秘術１下のスロット構造を得ることができる。通常、Ｎ１は、Ｎ０の整数倍、すなわち、Ｎ１＝Ｎ０＊ｋであって、ｋは、正の整数である。図７に示されるように、ＳＦＩパターン７１０によって示されるＮ０個のＯＦＤＭシンボルを含有する２つのスロット構造が、連結され、連結されたスロット構造のＯＦＤＭシンボル伝送属性は、数秘術１下でＮ１個のＯＦＤＭシンボルを含有するスロットにマッピングされる。図７は、数秘術１下のＯＦＤＭシンボル長（またはサブキャリア間隔）の異なる実施例７２０、７３０、７４０を示す。数秘術１下のＯＦＤＭシンボル長（またはサブキャリア間隔）のサイズは、連結後、シンボル毎の伝送属性割当の動作に影響を及ぼさない。
【００５６】
Ｎ１が、Ｎ０の整数倍ではないとき、およびＮ０が、Ｎ１の整数倍ではないときでも、分割または連結動作は、有効持続時間内のＮ１個のシンボルのみに適用され得ることを理解されたい。
【００５７】
コードブックセット内のチャネル構造は、本実施形態では、スロットに対応するが、コードブックセット内のチャネル構造は、本教示の種々の実施形態では、１つ以上の無線フレーム、１つ以上のサブフレーム、１つ以上のスロット、および１つ以上のスロットのグループのいずれかに対応してもよいことを理解されたい。また、各チャネル構造は、本実施形態では、ＯＦＤＭシンボルのうちの１つ以上のものをカバーし、一連のＯＦＤＭシンボル内の伝送属性のパターンを示すが、チャネル構造パターンは、一般に、１つ以上の時間単位内の伝送属性のパターンを示すことができ、各時間単位は、１つ以上のＯＦＤＭシンボル、１つ以上のＯＦＤＭシンボルのグループ、１つ以上のミニスロット、および１つ以上のスロットのうちのいずれかを含んでもよいことが理解され得る。
【００５８】
実施形態１は、ＳＦＩパターン下の単一ＯＦＤＭシンボルの長さを強調または要求するものではない。単一ＯＦＤＭシンボルの長さは、ＳＦＩパターンの標準化または半静的構成に基づいて、識別される場合とそうではない場合がある。単一ＯＦＤＭシンボルの長さが、識別されない場合、ＳＦＩパターンに対応するＯＦＤＭシンボルの数を提供することのみ必要である。
【００５９】
実施形態１は、ＢＳがＵＥのために単一ＢＷＰまたは複数のＢＷＰを構成およびアクティブ化する場合およびＢＳが単一ＳＦＩまたは複数のＳＦＩをＵＥに伝送する場合に適用されることができ、これは、以下の場合を含む。
【００６０】
第１の場合では、ＢＳは、ＵＥのために１つのみのＢＷＰを構成およびアクティブ化する。ＵＥは、アクティブＢＷＰのＣＯＲＥＳＥＴ上でＳＦＩを検出および受信し、ＳＦＩパターンインジケーションをアクティブＢＷＰのＳＦＩから読み取り、実施形態に説明される方法によって、インジケーションに基づいて、アクティブＢＷＰ上のスロット構造を決定する。
【００６１】
第２の場合では、ＢＳは、ＵＥのために複数のＢＷＰを構成およびアクティブ化する。ＵＥは、ＳＦＩを複数のＢＷＰ内の１つのみのＢＷＰから検出および受信し、ＳＦＩパターンインジケーションをＳＦＩから読み取り、それぞれ、実施形態に説明される方法によって、インジケーションに基づいて、複数のアクティブＢＷＰのそれぞれ上のスロット構造を決定する。
【００６２】
第３の場合では、ＢＳは、ＵＥのために複数のＢＷＰを構成およびアクティブ化する。ＵＥは、複数のＢＷＰの少なくともいくつか（全部または一部であるが、１つよりも多く）上でＳＦＩを検出および受信する。ＵＥは、複数のＳＦＩを受信してもよい。ＵＥは、ＳＦＩパターンインジケーションをＢＷＰ  ｘから読み取り、実施形態に説明される方法によって、インジケーションに基づいて、アクティブＢＷＰ  ｘ上のスロット構造を決定する。ＵＥは、ＳＦＩパターンインジケーションをＢＷＰ  ｙから読み取り、インジケーションに基づいて、実施形態に説明される方法によって、アクティブＢＷＰ  ｙ上のスロット構造を決定する。すなわち、ＵＥは、独立して、各ＢＷＰのＳＦＩインジケーションに従って、各ＢＷＰのスロット構造を決定する。
【００６３】
実施形態２では、示されるＳＦＩパターンは、所定の長さの時間に対応し、異なる数秘術下の伝送属性は、時間ドメイン内で整合される。ＢＳの標準化または半静的構成に基づいて、ＵＥは、ＳＦＩパターン１、ＳＦＩパターン２、．．．ＳＦＩパターンＮを含む、数秘術０（ソース数秘術）下のコードブックセットを理解することができ、異なるＳＦＩパターンは、数秘術０下の異なるスロット構造を表す。数秘術０は、その独自の具体的ＳＣＳ、ＯＦＤＭシンボル長、それぞれ、ＳＣＳ０、ＯＳＬ０、Ｎ０として示される、スロット内に含有されるＯＦＤＭシンボルの数を有する。ＯＳＬ０およびＮ０に基づいて、数秘術０下のスロット長Ｔ０を決定することができ、Ｔ０＝ＯＳＬ０＊Ｎ０であって、ソース数秘術は、標準化要件、半静的構成、動的構成、および他のチャネル信号のうちの少なくとも１つに基づいて決定される。
【００６４】
ＵＥは、ＳＦＩをＢＷＰのＣＯＲＥＳＥＴから読み取り、ＳＦＩパターンを取得し、ＢＷＰの数秘術は、数秘術１（標的数秘術）として構成される。数秘術１は、その独自の具体的ＳＣＳ、ＯＦＤＭシンボル長、それぞれ、ＳＣＳ１、ＯＳＬ１、Ｎ１として示される、スロット内に含有されるＯＦＤＭシンボルの数を有する。ＯＳＬ１およびＮ１に基づいて、数秘術１下のスロット長Ｔ１を決定することができ、Ｔ１＝ＯＳＬ１＊Ｎ１である。伝送数秘術（伝送されるＢＷＰの数秘術）は、本実施形態では、標的数秘術と等しいが、伝送数秘術は、いくつかの他の実施形態では、標的数秘術と異なり得ることを理解されたい。
【００６５】
数秘術０および数秘術１を比較することによって、ＵＥは、チャネル構造決定のための異なるパラレル移動スキームを決定することができる。
【００６６】
数秘術０が、数秘術１と同一である、すなわち、ＳＣＳ０が、ＳＣＳ１と等しく、ＯＳＬ０が、ＯＳＬ１と等しく、Ｎ０が、Ｎ１と等しい場合、ＵＥがＳＦＩ内のＳＦＩパターンを読み取った後、ＵＥは、図８に示されるように、直接、数秘術０下のＮ０個のシンボル８１０のそれぞれの伝送属性についてのＳＦＩパターンインジケーションを数秘術１下のＮ１個のシンボル８２０のうちの対応する１つにマッピングすることができる。
【００６７】
数秘術０が、数秘術１と異なる場合、下記に示されるように、３つの異なる場合が存在する。
【００６８】
第１の場合では、ＳＣＳ０は、ＳＣＳ１と等しく、ＯＳＬ０は、ＯＳＬ１と等しいが、Ｎ０は、Ｎ１と等しくない。Ｎ０が、Ｎ１よりも大きいとき、図９に示されるように、数秘術０下のＳＦＩパターン９１０によって示される１つのスロットは、数秘術１下で複数のスロット９２０に分割される。Ｎ０が、Ｎ１未満であるとき、数秘術０下のＳＦＩパターン１０１０によって示される複数のスロットは、図１０に示されるように、数秘術１下の１つのスロット１０２０に連結される。
【００６９】
第２の場合では、ＳＣＳ０は、ＳＣＳ１と等しくなく、ＯＳＬ０は、ＯＳＬ１と等しくなく、Ｎ０は、Ｎ１と等しい。図１１に示されるように、ＯＳＬ０が、ＯＳＬ１よりも大きい（ＳＣＳ０がＳＣＳ１未満であるときと同等である）とき、通常、Ｔ０＝ｋ＊Ｔ１であって、ｋは、正の整数であって、ＳＦＩパターン１１１０によって示される数秘術０下のＯＦＤＭシンボルのそれぞれの伝送属性は、数秘術１下の複数（ｋ）個のＯＦＤＭシンボル１１２０にマッピングされ、ＯＳＬ０が、ＯＳＬ１未満である（ＳＣＳ０がＳＣＳ１よりも大きいときと同等である）とき、典型的には、Ｔ０＝Ｔ１／ｋであって、ｋは、正の整数であって、ＳＦＩパターンによって示される数秘術０下の複数のＯＦＤＭシンボル１１１０の伝送属性は、数秘術１下のＯＦＤＭシンボル１１３０のうちの対応する１つの異なる部分にマッピングされる。本方法に基づいて、数秘術０および数秘術１下の２つのスロット構造の「Ｄ」、「Ｏ」、「Ｕ」フィールドが、時間ドメイン内で相互に整合されることが確実にされる。すなわち、ＳＦＩパターンによって示される数秘術０下のスロット長Ｔ０内のスロット構造は、数秘術１下のＴ０（可能性として、ｋ＊Ｔ１またはＴ１／ｋ）と同一時間長内のスロット構造と同一である。
【００７０】
第３の場合では、ＳＣＳ０は、ＳＣＳ１と等しくなく、ＯＳＬ０は、ＯＳＬ１と等しくなく、Ｎ０は、Ｎ１と等しくない。図１２および図１３に示されるように、ここでの方法は、第２の場合におけるものに類似し、数秘術０および数秘術１下の２つのスロット構造の「Ｄ」、「Ｏ」、「Ｕ」フィールドが、時間ドメイン内で相互に整合されることを確実にするという目的を伴う。図１２に示されるように、ＳＦＩパターンによって示される数秘術０下の１つのＯＦＤＭシンボル１２１０の伝送属性は、数秘術１下の２つの異なるスロット内の２つのＯＦＤＭシンボル１２２２、１２２４にマッピングされてもよい。図１３に示されるように、ＳＦＩパターンによって示される数秘術０下の２つの異なるスロット内の２つのＯＦＤＭシンボル１３１２、１３１４の伝送属性は、数秘術１下の対応する１つのＯＦＤＭシンボルのうちの異なる部分１３２２、１３２４にマッピングされてもよい。
【００７１】
第２の場合および第３の場合に関して、数秘術１下のスロット長Ｔ１が、数秘術０下のスロット長Ｔ０と等しくないとき、（ａ）標準化要件または半静的構成または動的インジケーションによって決定されたＳＦＩ有効持続時間、または（ｂ）半静的構成または動的インジケーションによって決定されたＳＦＩ有効スロットの数のいずれかに基づいて、連結または分割の範囲を決定することができる。
【００７２】
第１の状況では、標準化要件または半静的構成または動的インジケーションに従って、ＵＥは、ＳＦＩインジケーションの有効時間範囲がＭ０個のＯＦＤＭシンボルであることを決定することができる。次いで、ＵＥが、数秘術１下のスロット構造を決定すると、ＵＥは、有効時間範囲Ｍ０＊ＯＳＬ０内のスロット構造のみを決定することができる。分割または連結動作は、有効時間範囲外のスロットまたはＯＦＤＭシンボルには適用されることができない（Ｎ０が、Ｎ１＊ｋと等しいかどうか、およびＮ０が、Ｎ１／ｋと等しいかどうかにかかわらず）。
【００７３】
代替として、第１の状況では、標準化要件または半静的構成または動的インジケーションに従って、ＵＥは、ＳＦＩインジケーションの有効時間範囲がＭ０個のスロットであることを決定することができる。次いで、ＵＥが、数秘術１下のスロット構造を決定すると、ＵＥは、有効時間範囲Ｍ０＊Ｔ０内のスロット構造のみを決定することができる。分割または連結動作は、有効時間範囲外のスロットまたはＯＦＤＭシンボルには適用されることができない。
【００７４】
第２の状況では、標準化要件または半静的構成または動的インジケーションに従って、ＵＥは、ＳＦＩインジケーションの有効時間範囲がＭ０個のＯＦＤＭシンボルであることを決定することができる。次いで、ＵＥが、数秘術１下のスロット構造を決定すると、ＵＥは、有効時間範囲Ｍ０＊ＯＳＬ１内のスロット構造のみを決定することができる。分割または連結動作は、有効時間範囲外のスロットまたはＯＦＤＭシンボルには適用されることができない。
【００７５】
代替として、第２の状況では、標準化要件または半静的構成または動的インジケーションに従って、ＵＥは、ＳＦＩインジケーションの有効時間範囲がＭ０個のスロットであることを決定することができる。次いで、ＵＥが、数秘術１下のスロット構造を決定すると、ＵＥは、有効時間範囲Ｍ０＊Ｔ１内のスロット構造のみを決定することができる。分割または連結動作は、有効時間範囲外のスロットまたはＯＦＤＭシンボルには適用されることができない。
【００７６】
ＳＦＩインジケーションの有効時間範囲は、本実施形態では、単一ＳＦＩパターンをカバーするが、ＳＦＩインジケーションの有効時間範囲は、他の実施形態では、複数のＳＦＩパターンをカバーしてもよいことを理解されたい。例えば、有効時間範囲は、５つのタイムスロットをカバーしてもよく、最初の２つのスロットは、ＳＦＩパターン１に従い、残りの３つのスロットは、ＳＦＩパターン２に従う。別の実施例では、有効時間範囲は、ＳＦＩパターン３に従う前半の部分と、ＳＦＩパターン４に従う後半の部分とを含む、スロットをカバーしてもよい。
【００７７】
実施形態３では、実施形態２における方法が、複数のＢＷＰに適用される。
【００７８】
ＢＳが、ＵＥのためにＮ（Ｎは、１よりも大きい整数である）個のＢＷＰを構成およびアクティブ化すると、ＳＦＩをＮ個のＢＷＰ上で検出および受信する、またはＳＦＩをＢＷＰのうちの１つのみの上で検出または受信するように、ＵＥを構成することが可能である。各ＢＷＰの数秘術は、独立して構成されることができる。ＢＳは、ＢＷＰ１の数秘術を数秘術１として構成し、ＢＷＰ２の数秘術を数秘術２として構成し、ＢＷＰ  Ｎの数秘術を数秘術Ｎとして構成することができる。
【００７９】
ＢＳは、ＳＦＩをＢＷＰのうちの１つのみの上で検出および受信するように、ＵＥを構成してもよい。ＢＳが、ＳＦＩをＢＷＰ  ｘ（ｘは、［１，Ｎ］内の正の整数である）上で検出および受信するようにＵＥを構成すると仮定すると、ＳＦＩによって示されるスロットパターンは、数秘術Ｘに対応する。ＢＷＰ  ｘ以外のＮ−１ＢＷＰに関して、構成される数秘術が数秘術ｘと同一であるかどうかにかかわらず、ＵＥは、数秘術ｘ下のＳＦＩに基づいて、全Ｎ個のＢＷＰのスロット構造を決定する。具体的方法は、実施形態２のものと同一である。
【００８０】
ＢＳはまた、ＳＦＩを各ＢＷＰ上で検出および受信するように、ＵＥを構成してもよい。ＢＷＰ  ｘに関して、その数秘術が、数秘術ｘである場合、ＢＷＰ上のＢＳによって読み取られるスロットパターンは、数秘術ｘに対応する。ＢＷＰ  ｙに関して、その数秘術が、数秘術ｙである場合、ＢＷＰ上のＢＳによって読み取られるスロットパターンは、数秘術ｙに対応する。
【００８１】
実施形態４では、示されるＳＦＩパターンは、所定の数のスロットまたはＯＦＤＭシンボルに対応し、異なる数秘術下の伝送属性が時間ドメイン内で整合されることを確実にする必要がない。ＢＳの標準化または半静的構成に基づいて、ＵＥは、ＳＦＩパターン１、ＳＦＩパターン２、．．．ＳＦＩパターンＮを含む、数秘術０下のコードブックセットを理解することができ、異なるＳＦＩパターンは、数秘術０下の異なるスロット構造を表す。数秘術０は、その独自の具体的ＳＣＳ、ＯＦＤＭシンボル長、それぞれ、ＳＣＳ０、ＯＳＬ０、Ｎ０として示される、スロット内に含有されるＯＦＤＭシンボルの数を有する。ＯＳＬ０およびＮ０に基づいて、数秘術０下のスロット長Ｔ０を決定することができ、Ｔ０＝ＯＳＬ０＊Ｎ０である。
【００８２】
ＵＥは、ＳＦＩをＢＷＰのＣＯＲＥＳＥＴから読み取り、ＳＦＩパターンを取得し、ＢＷＰの数秘術は、数秘術１（標的数秘術）として構成される。数秘術１は、その独自の具体的ＳＣＳ、ＯＦＤＭシンボル長、それぞれ、ＳＣＳ１、ＯＳＬ１、Ｎ１として示される、スロット内に含有されるＯＦＤＭシンボルの数を有する。ＯＳＬ１およびＮ１に基づいて、数秘術１下のスロット長Ｔ１を決定することができ、Ｔ１＝ＯＳＬ１＊Ｎ１である。伝送数秘術（伝送されるＢＷＰの数秘術）は、本実施形態では、標的数秘術と等しいが、伝送数秘術は、いくつかの他の実施形態では、標的数秘術と異なり得ることを理解されたい。
【００８３】
数秘術０および数秘術１を比較することによって、ＵＥは、チャネル構造決定のための異なるパラレル移動スキームを決定することができる。
【００８４】
数秘術０下のＮ０が、数秘術１下のＮ１と等しい場合、ＵＥは、図１４に示されるように、数秘術１下のＯＳＬ１（またはＳＣＳ１）が、数秘術０下のＯＳＬ０（またはＳＣＳ０）と等しいかどうかを検討せずに、直接、Ｎ０個のシンボル１４１０のそれぞれのＳＦＩパターンによって示される伝送属性をＮ１個のシンボル１４２０のうちの対応する１つにマッピングすることができる。
【００８５】
数秘術０下のＮ０が、数秘術１下のＮ１と等しくない場合、Ｎ０＝ｋ＊Ｎ１であるとき（ｋは、正の整数である）、ＵＥは、図１５に示されるように、数秘術０下のスロット１５１０を数秘術１下のｋ個のスロット１５２０、１５３０、１５４０に分割し、次いで、数秘術０下のＳＦＩパターンインジケーションに従って、数秘術１下のＯＦＤＭシンボルのそれぞれの伝送属性を決定することができる。Ｎ０＝Ｎ１／ｋであって、ｋが、正の整数であるとき、ＵＥは、図１６に示されるように、数秘術０下のｋ個のスロット１６１０を数秘術１下の１つのスロット１６２０、１６３０、１６４０に連結し、次いで、数秘術０下のＳＦＩパターンインジケーションに従って、数秘術１下のＯＦＤＭシンボルのそれぞれの伝送属性を決定することができる。同様に、システムは、数秘術１下のＯＳＬ１（またはＳＣＳ１）が数秘術０下のＯＳＬ０（またはＳＣＳ０）と等しいかどうかを検討しない。
【００８６】
標準化要件または半静的構成または動的インジケーションに従って、ＵＥは、ＳＦＩインジケーションの有効時間範囲がＭ０個のＯＦＤＭシンボルであることを決定することができる。次いで、ＵＥが、数秘術１下のスロット構造を決定すると、ＵＥは、有効時間範囲Ｍ０＊ＯＳＬ１内のスロット構造のみを決定することができる。分割または連結動作は、有効時間範囲外のスロットまたはＯＦＤＭシンボルには適用されることができない。代替として、標準化要件または半静的構成または動的インジケーションに従って、ＵＥは、ＳＦＩインジケーションの有効時間範囲がＭ０個のスロットであることを決定することができる。次いで、ＵＥが、数秘術１下のスロット構造を決定すると、ＵＥは、有効時間範囲Ｍ０＊Ｔ１内のスロット構造のみを決定することができる。再び、分割または連結動作は、有効時間範囲外のスロットまたはＯＦＤＭシンボルには適用されることができない。
【００８７】
実施形態５では、実施形態４における方法は、複数のＢＷＰに適用され、実施形態５は、実施形態３におけるものに類似するステップに従うことができる。
【００８８】
実施形態６では、ＳＦＩインジケーションがＵＥ特有のＤＣＩおよび／または半静的構成信号と競合するとき、問題を解決するための方法が、開示される。ある条件が満たされると、ＵＥは、図１７に示されるように、ＳＦＩによって示される「Ｏ」フィールド内のＯＦＤＭシンボル上で、半静的に構成される周期的または非周期的ダウンリンク信号を受信する、または半静的に構成される周期的または非周期的アップリンク信号を送信することができる。
【００８９】
時間ｔ１  １７１０では、実施形態１−５における方法のうちの１つを使用して、ＵＥは、受信されたＳＦＩインジケーションに基づいて、ＢＷＰ上のスロット構造を決定することができる。スロット構造は、「Ｏ」フィールドを含有する。「Ｏ」の伝送属性を有するＯＦＤＭシンボルに関して、ＵＥは、任意のダウンリンク／アップリンク信号またはダウンリンク／アップリンクチャネルをこれらのＯＦＤＭシンボル上で受信／伝送することができない。
【００９０】
時間ｔ２  １７２０では、ＵＥは、ＵＥ特有のＤＣＩを受信し、これは、伝送属性「Ｏ」を伴うＯＦＤＭシンボルが、ＤＬ伝送のために使用されることを示す。次いで、ｔ２から開始して、ＵＥはまた、ＵＥ特有のＤＣＩによって示される対応するシンボル上のＤＬまたはＵＬ伝送に加え、ＣＳＩ−ＲＳ（チャネル状態情報−基準信号）、ＤＭＲＳ（復調基準信号）等の半静的に構成される周期的または非周期的ダウンリンク信号を、ＤＬ伝送のために使用され、伝送属性「Ｏ」を有し得る、ＯＦＤＭシンボル１０２上で受信することができる。
【００９１】
時間ｔ３  １７３０では、ＵＥは、更新されたＳＦＩインジケーションを受信し、更新されたＳＦＩインジケーションに従って、前の動作を繰り返す。
【００９２】
時間ｔ４  １７４０では、ＵＥは、ＵＥ特有のＤＣＩを受信し、これは、伝送属性「Ｏ」を伴うＯＦＤＭシンボルが、ＵＬ伝送のために使用されることを示す。次いで、ｔ４から開始して、ＵＥはまた、ＵＥ特有のＤＣＩによって示される対応するシンボル上のＤＬまたはＵＬ伝送に加え、ＳＲＳ（サウンディング基準信号）、ＤＭＲＳ等の半静的に構成される周期的または非周期的アップリンク信号を、ＵＬ伝送のために使用される「Ｏ」の伝送属性を伴うＯＦＤＭシンボル１０４上で伝送することができる。
【００９３】
実施形態７では、２つの異なる伝送方向間のガード周期（ＧＰ）を決定するための方法が、開示される。ＵＥは、アップリンク伝送とダウンリンク伝送との間またはダウンリンク伝送とアップリンク伝送との間の遷移時間ＧＰを必要とする。本実施形態では、ＧＰは、ＳＦＩパターンによって示される「Ｏ」の伝送属性を伴う時間範囲内になければならない。ＧＰは、「Ｏ」フィールド全体を占有する、または「Ｏ」フィールドの一部のみを占有することができる。
【００９４】
本開示の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本開示の例示的特徴および機能を理解することを可能にするために提供される。しかしながら、そのような当業者は、本開示は、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００９５】
また、「第１」、「第２」等の指定を使用した本明細書における要素の任意の参照は、概して、それらの要素の量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得る、または第１の要素がある様式において、第２の要素に先行しなければならないことを意味するものではない。
【００９６】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、または任意のそれらの組み合わせによって表されることができる。
【００９７】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、またはこれらの技法の任意の組み合わせによって実装されることができることを理解するであろう。
【００９８】
ハードウェア、ファームウェア、およびソフトウェアの本可換性を明確に図示するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。種々の実施形態によると、プロセッサ、デバイス、コンポーネント、回路、構造、機械、モジュール等は、本明細書に説明される機能の１つ以上のものを実施するように構成されることができる。規定された動作または機能に関する、用語「■ように構成される（ｃｏｎｆｉｇｕｒｅｄ）」または「■のために構成される（ｃｏｎｆｉｇｕｒｅｄ  ｆｏｒ）」は、本明細書で使用されるように、規定された動作または機能を実施するように物理に構築される、プログラムされる、および／または配列される、プロセッサ、デバイス、コンポーネント、回路、構造、機械、モジュール等を指す。
【００９９】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または任意のそれらの組み合わせを含み得る、集積回路（ＩＣ）内に実装される、またはそれによって実施されることができることを理解するであろう。論理ブロック、モジュール、および回路はさらに、アンテナおよび／または送受信器を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【０１００】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送することを可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る、任意の他の媒体を含むことができる。
【０１０１】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本開示の実施形態に従って関連付けられた機能を実施する、単一モジュールを形成してもよい。
【０１０２】
加えて、メモリまたは他の記憶装置および通信コンポーネントが、本開示の実施形態において採用されてもよい。明確にする目的のために、上記の説明は、異なる機能単位およびプロセッサを参照して本開示の実施形態を説明していることを理解されたい。しかしながら、異なる機能単位、処理論理要素、またはドメイン間の機能性の任意の好適な分布が、本開示から逸脱することなく使用されてもよいことが明白であろう。例えば、別個の処理論理要素またはコントローラによって実施されるように例証される機能性は、同一処理論理要素またはコントローラによって実施されてもよい。故に、具体的機能単位の参照は、厳密な論理または物理構造または編成を示すのではなく、説明される機能性を提供するための好適な手段の参照にすぎない。
【０１０３】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において制限されるように、本明細書に開示される新規特徴および原理と一致する最も広い範囲と見なされる。
【図１】
2020535672.tif 000003
【図２】
2020535672.tif 000004
【図３】
2020535672.tif 000005
【図４】
2020535672.tif 000006
【図５】
2020535672.tif 000007
【図６】
2020535672.tif 000008
【図７】
2020535672.tif 000009
【図８】
2020535672.tif 000010
【図９】
2020535672.tif 000011
【図１０】
2020535672.tif 000012
【図１１】
2020535672.tif 000013
【図１２】
2020535672.tif 000014
【図１３】
2020535672.tif 000015
【図１４】
2020535672.tif 000016
【図１５】
2020535672.tif 000017
【図１６】
2020535672.tif 000018
【図１７】
2020535672.tif 000019
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
第１のノードによって実施される方法であって、前記方法は、
無線信号を第２のノードから受信することと、
前記無線信号によって示されるチャネル構造情報を取得することと、
前記無線信号によって示される前記チャネル構造情報のために構成される第１の波形パラメータセットを決定することと、
前記チャネル構造情報に基づいて、前記第１の波形パラメータセットに対する所定の持続時間内の前記第１のノードと前記第２のノードとの間の伝送リンクの伝送属性を決定することと
を含む、方法。
【請求項２】
前記伝送属性は、
ダウンリンク（ＤＬ）フィールドであって、その下で、前記第１のノードは、ダウンリンク信号を受信することが可能である、ダウンリンク（ＤＬ）フィールドと、
アップリンク（ＵＬ）フィールドであって、その下で、前記第１のノードは、アップリンク信号を伝送することが可能である、アップリンク（ＵＬ）フィールドと、
ＯＴＨＥＲフィールドであって、その下で、前記第１のノードは、前記ＯＴＨＥＲフィールドが、それぞれ、ＤＬフィールドまたはＵＬフィールドに更新されたことを示す動的インジケーションを前記第２のノードから受信した後、ダウンリンク信号の受信またはアップリンク信号の伝送のいずれかを行うことが可能であり、前記アップリンク信号および前記ダウンリンク信号の各々は、半静的に構成される信号である、ＯＴＨＥＲフィールドと
のうちの少なくとも１つを含む、請求項１に記載の方法。
【請求項３】
前記所定の持続時間は、任意の波形パラメータセットに関連しない絶対時間周期に基づいて決定される、請求項１に記載の方法。
【請求項４】
前記所定の持続時間は、第２の波形パラメータセットと関連付けられた相対時間周期に基づいて決定され、前記相対時間周期の長さは、前記第２の波形パラメータセットの値に依存する、請求項１に記載の方法。
【請求項５】
前記チャネル構造情報は、第１の時間単位に対応する構造コードブックのセット内に含まれる１つ以上のチャネル構造を示し、
前記１つ以上のチャネル構造の各々は、前記所定の持続時間内の１つ以上の第２の時間単位と、前記１つ以上の第２の時間単位の伝送属性のパターンとをカバーする、請求項１に記載の方法。
【請求項６】
前記構造コードブックのセットは、半静的構成に基づいて決定される第３の波形パラメータセット下、第２の時間単位の数をカバーするチャネル構造を示す、請求項５に記載の方法。
【請求項７】
前記所定の持続時間内の伝送属性は、前記所定の持続時間内の異なる波形パラメータセット下の伝送属性の整合に基づいて決定される、請求項５に記載の方法。
【請求項８】
プロセッサと、メモリと、無線インターフェースとを備える第１の通信装置であって、前記メモリは、命令を記憶し、前記命令は、実行されると、前記プロセッサに、
無線信号を第２の通信装置から受信することと、
前記無線信号によって示されるチャネル構造情報を取得することと、
前記無線信号によって示される前記チャネル構造情報のために構成される第１の波形パラメータセットを決定することと、
前記チャネル構造情報に基づいて、前記第１の波形パラメータセットに対する所定の持続時間内の前記第１の通信装置と前記第２の通信装置との間の伝送リンクの伝送属性を決定することと
を行わせる、第１の通信装置。
【請求項９】
前記伝送属性は、
ＤＬフィールドであって、その下で、前記第１の通信装置は、ダウンリンク信号を受信することが可能である、ＤＬフィールドと、
ＵＬフィールドであって、その下で、前記第１の通信装置は、アップリンク信号を伝送することが可能である、ＵＬフィールドと、
ＯＴＨＥＲフィールドであって、その下で、前記第１の通信装置は、前記ＯＴＨＥＲフィールドが、それぞれ、ＤＬフィールドまたはＵＬフィールドに更新されたことを示す動的インジケーションを前記第２の通信装置から受信した後、ダウンリンク信号の受信またはアップリンク信号の伝送のいずれかを行うことが可能であり、前記アップリンク信号および前記ダウンリンク信号の各々は、半静的に構成される信号である、ＯＴＨＥＲフィールドと
のうちの少なくとも１つを含む、請求項８に記載の第１の通信装置。
【請求項１０】
その上に記憶されるコンピュータ実行可能命令を有する非一過性コンピュータ可読媒体であって、前記コンピュータ実行可能命令は、第１のノードのプロセッサによって実行されると、前記プロセッサに、
無線信号を第２のノードから受信することと、
前記無線信号によって示されるチャネル構造情報を取得することと、
前記無線信号によって示される前記チャネル構造情報のために構成される第１の波形パラメータセットを決定することと、
前記チャネル構造情報に基づいて、前記第１の波形パラメータセットに対する所定の持続時間内の前記第１のノードと前記第２のノードとの間の伝送リンクの伝送属性を決定することと
を含む方法を実装させる、非一過性コンピュータ可読媒体。
【請求項１１】
前記伝送属性は、
ＤＬフィールドであって、その下で、第１の通信装置は、ダウンリンク信号を受信することが可能である、ＤＬフィールドと、
ＵＬフィールドであって、その下で、前記第１の通信装置は、アップリンク信号を伝送することが可能である、ＵＬフィールドと、
ＯＴＨＥＲフィールドであって、その下で、前記第１の通信装置は、前記ＯＴＨＥＲフィールドが、それぞれ、ＤＬフィールドまたはＵＬフィールドに更新されたことを示す動的インジケーションを第２の通信装置から受信した後、ダウンリンク信号の受信またはアップリンク信号の伝送のいずれかを行うことが可能であり、前記アップリンク信号および前記ダウンリンク信号の各々は、半静的に構成される信号である、ＯＴＨＥＲフィールドと
のうちの少なくとも１つを含む、請求項１０に記載の非一過性コンピュータ可読媒体。
【手続補正２】
【補正対象書類名】明細書
【補正対象項目名】００１０
【補正方法】変更
【補正の内容】
【００１０】
さらに別の実施形態では、いくつかの実施形態において開示される方法を行うためのその上に記憶されるコンピュータ実行可能命令を有する、非一過性コンピュータ可読媒体が、開示される。
本願明細書は、例えば、以下の項目も提供する。
（項目１）
第１のノードによって実施される方法であって、前記方法は、
無線信号を第２のノードから受信することと、
前記無線信号によって示されるチャネル構造情報を取得することと、
前記無線信号のために構成される第１の波形パラメータセットを決定することと、
前記チャネル構造情報に基づいて、前記第１の波形パラメータセットに対する所定の持続時間内の前記第１のノードと前記第２のノードとの間の伝送リンクの伝送属性を決定することと
を含む、方法。
（項目２）
前記伝送属性は、
ダウンリンク（ＤＬ）フィールドであって、その下で、前記第１のノードは、ダウンリンク信号を受信することが可能である、ダウンリンク（ＤＬ）フィールドと、
アップリンク（ＵＬ）フィールドであって、その下で、前記第１のノードは、アップリンク信号を伝送することが可能である、アップリンク（ＵＬ）フィールドと、
ＯＴＨＥＲフィールドであって、その下で、前記第１のノードは、前記ＯＴＨＥＲフィールドが、それぞれ、ＤＬフィールドまたはＵＬフィールドに更新されたことを示す動的インジケーションを前記第２のノードから受信した後、ダウンリンク信号の受信またはアップリンク信号の伝送のいずれかを行うことが可能であり、前記アップリンク信号および前記ダウンリンク信号の各々は、半静的に構成される周期的または非周期的信号である、ＯＴＨＥＲフィールドと
のうちの少なくとも１つを含む、項目１に記載の方法。
（項目３）
前記ＯＴＨＥＲフィールドは、ガード周期（ＧＰ）を２つの異なる伝送方向間に含み、
前記ＤＬフィールドおよび前記ＵＬフィールドは、任意のＧＰを含まない、項目２に記載の方法。
（項目４）
前記所定の持続時間は、
任意の波形パラメータセットに関連しない絶対時間周期と、
第２の波形パラメータセットと関連付けられた相対時間周期であって、前記相対時間周期の長さは、前記第２の波形パラメータセットの値に依存する、相対時間周期と
のうちの少なくとも１つに基づいて決定される、項目１に記載の方法。
（項目５）
前記チャネル構造情報は、第１の時間単位に対応する構造コードブックのセット内に含まれる１つ以上のチャネル構造を示し、
前記１つ以上のチャネル構造の各々は、前記所定の持続時間内の１つ以上の第２の時間単位と、前記１つ以上の第２の時間単位の伝送属性のパターンとをカバーする、項目１に記載の方法。
（項目６）
前記第１の時間単位は、１つ以上の無線フレーム、１つ以上のサブフレーム、１つ以上のスロット、および１つ以上のスロットのグループのうちの少なくとも１つを含み、
前記第２の時間単位は、１つ以上の直交周波数分割多重化（ＯＦＤＭ）シンボル、１つ以上のＯＦＤＭシンボルのグループ、１つ以上のミニスロット、および１つ以上のスロットのうちの少なくとも１つを含む、項目５に記載の方法。
（項目７）
前記構造コードブックのセットは、任意の波形パラメータセットに関連せず、所定の数の第２の時間単位をカバーするチャネル構造を示し、前記方法はさらに、
前記チャネル構造情報によって示される前記１つ以上のチャネル構造に対応する第１の時間単位内の第１の数（Ｎ０）の第２の時間単位を決定することと、
前記第１の波形パラメータセットに対応する第１の時間単位内の第２の数（Ｎ１）の第２の時間単位を決定することと、
Ｎ０とＮ１を比較することと、
前記所定の持続時間の各第１の時間単位内の伝送属性を決定することであって、前記伝送属性を決定することは、
Ｎ０がＮ１と等しいとき、前記Ｎ０個の第２の時間単位の対応する第２の時間単位の伝送属性に基づいて、前記Ｎ１個の第２の時間単位の各々の伝送属性を決定することと、
Ｎ０がＮ１未満であり、Ｎ０＝Ｎ１／ｋであるとき、ｋ倍による前記Ｎ０個の第２の時間単位の連結に基づいて、前記Ｎ１個の第２の時間単位の伝送属性を決定することと、
Ｎ０がＮ１よりも大きく、Ｎ０＝Ｎ１＊ｋであるとき、前記Ｎ０個の第２の時間単位をｋ個の部分に等しく分割し、前記ｋ個の部分の各々を対応する第１の時間単位内のＮ１個の第２の時間単位に対応させることによって、前記Ｎ１個の第２の時間単位の伝送属性を決定することと
に基づいている、ことと
を含む、項目５に記載の方法。
（項目８）
前記分割または連結動作は、（ａ）Ｎ０が、Ｎ１未満であり、Ｎ１／ｋと等しくないときと、（ｂ）Ｎ０が、Ｎ１よりも大きく、Ｎ１＊ｋと等しくないときとのうちの少なくとも１つが発生するとき、前記所定の持続時間内の前記Ｎ１個の第２の時間単位のみに適用される、項目７に記載の方法。
（項目９）
前記構造コードブックのセットは、標準化要件、半静的構成、動的構成、および他のチャネル信号のうちの少なくとも１つに基づいて決定される第３の波形パラメータセット下、第２の時間単位の数をカバーするチャネル構造を示し、
前記所定の持続時間内の伝送属性は、
前記構造コードブックのセットによって示される前記チャネル構造内の第２の時間単位の数と、
前記所定の持続時間内の異なる波形パラメータセット下の伝送属性の整合と
のうちの少なくとも１つに基づいて決定される、項目５に記載の方法。
（項目１０）
前記無線信号は、第１のセットの帯域幅部分（ＢＷＰ）上で受信され、
前記伝送属性は、前記所定の持続時間内の第２のセットのＢＷＰに関して決定され、
前記第１のセットのＢＷＰは、前記第２のセットのＢＷＰ内に同様に含まれる１つ以上のＢＷＰを含み、
前記第２のセットのＢＷＰは、同一または異なる波形パラメータセットを有する複数のＢＷＰを含み、
前記第１および第２のセットのＢＷＰ内の各ＢＷＰは、標準化要件、半静的構成、動的構成、および他のチャネル信号のうちの少なくとも１つに基づいて決定される、項目１に記載の方法。
（項目１１）
第１のノードによって実施される方法であって、前記方法は、
第２のノードのための第１の波形パラメータセットおよび所定の持続時間を構成し、前記第１のノードと前記第２のノードとの間の伝送リンクの伝送属性を決定することと、
チャネル構造情報を示す無線信号を生成することと、
前記無線信号を前記第２のノードに伝送することと
を含む、方法。
（項目１２）
前記伝送属性は、
ＤＬフィールドであって、その下で、前記第２のノードは、ダウンリンク信号を受信することが可能である、ＤＬフィールドと、
ＵＬフィールドであって、その下で、前記第２のノードは、アップリンク信号を伝送することが可能である、ＵＬフィールドと、
ＯＴＨＥＲフィールドであって、その下で、前記第２のノードは、前記ＯＴＨＥＲフィールドが、それぞれ、ＤＬフィールドまたはＵＬフィールドに更新されたことを示す動的インジケーションを前記第１のノードから受信した後、ダウンリンク信号の受信またはアップリンク信号の伝送のいずれかを行うことが可能であり、前記アップリンク信号および前記ダウンリンク信号の各々は、半静的に構成される周期的または非周期的信号である、ＯＴＨＥＲフィールドと
のうちの少なくとも１つを含む、項目１に記載の方法。
（項目１３）
前記ＯＴＨＥＲフィールドは、ＧＰを２つの異なる伝送方向間に含み、
前記ＤＬフィールドおよび前記ＵＬフィールドは、任意のＧＰを含まない、項目１２に記載の方法。
（項目１４）
前記所定の持続時間は、
任意の波形パラメータセットに関連しない絶対時間周期と、
第２の波形パラメータセットと関連付けられた相対時間周期であって、前記相対時間周期の長さは、前記第２の波形パラメータセットの値に依存する、相対時間周期と
のうちの少なくとも１つに基づいて決定される、項目１１に記載の方法。
（項目１５）
前記チャネル構造情報は、第１の時間単位に対応する構造コードブックのセット内に含まれる１つ以上のチャネル構造を示し、
前記１つ以上のチャネル構造の各々は、前記所定の持続時間内の１つ以上の第２の時間単位と、前記１つ以上の第２の時間単位の伝送属性のパターンとをカバーする、項目１１に記載の方法。
（項目１６）
前記第１の時間単位は、１つ以上の無線フレーム、１つ以上のサブフレーム、１つ以上のスロット、および１つ以上のスロットのグループのうちの少なくとも１つを含み、
前記第２の時間単位は、１つ以上のＯＦＤＭシンボル、１つ以上のＯＦＤＭシンボルのグループ、１つ以上のミニスロット、および１つ以上のスロットのうちの少なくとも１つを含む、項目１５に記載の方法。
（項目１７）
前記構造コードブックのセットは、任意の波形パラメータセットに関連せず、所定の数の第２の時間単位をカバーするチャネル構造を示し、前記第２のノードは、
前記チャネル構造情報によって示される前記１つ以上のチャネル構造に対応する第１の時間単位内の第１の数（Ｎ０）の第２の時間単位を決定することと、
前記第１の波形パラメータセットに対応する第１の時間単位内の第２の数（Ｎ１）の第２の時間単位を決定することと、
Ｎ０とＮ１を比較することと、
前記所定の持続時間の各第１の時間単位内の伝送属性を決定することであって、前記伝送属性を決定することは、
Ｎ０がＮ１と等しいとき、前記Ｎ０個の第２の時間単位の対応する第２の時間単位の伝送属性に基づいて、前記Ｎ１個の第２の時間単位の各々の伝送属性を決定することと、
Ｎ０がＮ１未満であり、Ｎ０＝Ｎ１／ｋであるとき、ｋ倍による前記Ｎ０個の第２の時間単位の連結に基づいて、前記Ｎ１個の第２の時間単位の伝送属性を決定することと、
Ｎ０がＮ１よりも大きく、Ｎ０＝Ｎ１＊ｋであるとき、前記Ｎ０個の第２の時間単位をｋ個の部分に等しく分割し、前記ｋ個の部分の各々を対応する第１の時間単位内のＮ１個の第２の時間単位に対応させることによって、前記Ｎ１個の第２の時間単位の伝送属性を決定することと
に基づいている、ことと
を実施する、項目１５に記載の方法。
（項目１８）
前記分割または連結動作は、（ａ）Ｎ０が、Ｎ１未満であり、Ｎ１／ｋと等しくないときと、（ｂ）Ｎ０が、Ｎ１よりも大きく、Ｎ１＊ｋと等しくないときとのうちの少なくとも１つが発生するとき、前記所定の持続時間内の前記Ｎ１個の第２の時間単位のみに適用される、項目１７に記載の方法。
（項目１９）
前記構造コードブックのセットは、標準化要件、半静的構成、動的構成、および他のチャネル信号のうちの少なくとも１つに基づいて決定される第３の波形パラメータセット下、第２の時間単位の数をカバーするチャネル構造を示し、
前記所定の持続時間内の伝送属性は、
前記構造コードブックのセットによって示される前記チャネル構造内の第２の時間単位の数と、
前記所定の持続時間内の異なる波形パラメータセット下の伝送属性の整合と
のうちの少なくとも１つに基づいて決定される、項目１５に記載の方法。
（項目２０）
前記無線信号は、第１のセットのＢＷＰ上で伝送され、
前記伝送属性は、前記所定の持続時間内の第２のセットのＢＷＰに関して決定され、
前記第１のセットのＢＷＰは、前記第２のセットのＢＷＰ内に同様に含まれる１つ以上のＢＷＰを含み、
前記第２のセットのＢＷＰは、同一または異なる波形パラメータセットを有する複数のＢＷＰを含み、
前記第１および第２のセットのＢＷＰ内の各ＢＷＰは、標準化要件、半静的構成、動的構成、および他のチャネル信号のうちの少なくとも１つに基づいて決定される、項目１１に記載の方法。
（項目２１）
項目１−１０のいずれか１項に記載の方法を行うように構成される、通信ノード。
（項目２２）
項目１−１０のいずれか１項に記載の方法を行うためのその上に記憶されるコンピュータ実行可能命令を有する、非一過性コンピュータ可読媒体。
（項目２３）
項目１１−２０のいずれか１項に記載の方法を行うように構成される、通信ノード。
（項目２４）
項目１１−２０のいずれか１項に記載の方法を行うためのその上に記憶されるコンピュータ実行可能命令を有する、非一過性コンピュータ可読媒体。
【国際調査報告】
2020535672.tif 000020
2020535672.tif 000021